(57)【要約】ユーザ端末（ＵＥ）が無線通信システムにおける媒体アクセス制御プロトコルデータユニット（ＭＡＣ  ＰＤＵ）を送信する方法及びこれをサポートする装置が提供される。前記方法は、基地局から半静的スケジューリング（ｓｅｍｉ  ｐｅｒｓｉｓｔｅｎｔ  ｓｃｈｅｄｕｌｉｎｇ、ＳＰＳ）構成の優先順位に対する情報を受信するステップ；前記ＳＰＳ構成の優先順位に対する情報に基づいて、多数の搬送波の中から第１の搬送波を選択するステップ；前記選択された第１の搬送波のリソースを最も高い優先順位を有する論理チャネルに割り当てるステップ；及び、前記選択された第１の搬送波のリソースを利用し、ＭＡＣ  ＰＤＵを送信するステップ；を含むことができる。【選択図】図９
2020528683.tif 000002
【特許請求の範囲】
【請求項１】
無線通信システムにおける端末により媒体アクセス制御プロトコルデータユニット（ＭＡＣ  ＰＤＵ）を送信する方法であって、前記方法は、
基地局から半静的スケジューリング（ｓｅｍｉ  ｐｅｒｓｉｓｔｅｎｔ  ｓｃｈｅｄｕｌｉｎｇ、ＳＰＳ）構成の優先順位に対する情報を受信するステップ；
前記ＳＰＳ構成の優先順位に対する情報に基づいて、多数の搬送波の中から第１の搬送波を選択するステップ；
前記選択された第１の搬送波のリソースを最も高い優先順位を有する論理チャネルに割り当てるステップ；及び、
前記選択された第１の搬送波のリソースを利用し、ＭＡＣ  ＰＤＵを送信するステップ；を含むことを特徴とする、方法。
【請求項２】
前記ＳＰＳ構成の優先順位に対する情報は、各々のＳＰＳ構成の優先順位を含むことを特徴とする、請求項１に記載の方法。
【請求項３】
前記ＳＰＳ構成の優先順位に対する情報は、活性化されたＳＰＳ構成の優先順位を含むことを特徴とする、請求項１に記載の方法。
【請求項４】
前記第１の搬送波は、前記多数の搬送波のうち最も高い優先順位を有するＳＰＳ構成を有する搬送波であることを特徴とする、請求項１に記載の方法。
【請求項５】
前記第１の搬送波は、前記多数の搬送波のうち最も高い優先順位を有する活性化されたＳＰＳ構成を有する搬送波であることを特徴とする、請求項１に記載の方法。
【請求項６】
前記第１の搬送波は、前記多数の搬送波のうち時間オフセット内にリソースグラント（ｒｅｓｏｕｒｃｅ  ｇｒａｎｔ）を有する搬送波であることを特徴とする、請求項１に記載の方法。
【請求項７】
前記時間オフセット内に前記リソースグラントを有する複数の搬送波がある場合、前記第１の搬送波は、前記多数の搬送波のうち最も高い優先順位を有するＳＰＳ構成を有する搬送波であることを特徴とする、請求項６に記載の方法。
【請求項８】
前記時間オフセットは、前記多数の搬送波のうち最も早いリソースグラントの時点から始めることを特徴とする、請求項６に記載の方法。
【請求項９】
最も高い優先順位を有する論理チャネルのデータに基づいて、ＭＡＣ  ＰＤＵを構築（ｃｏｎｓｔｒｕｃｔ）するステップをさらに含むことを特徴とする、請求項１に記載の方法。
【請求項１０】
論理チャネルに対するデータが残っており、且つ前記選択された第１の搬送波に対するリソースグラントが使い尽くされる場合、前記ＳＰＳ構成の優先順位に対する情報に基づいて、多数の搬送波の中から第２の搬送波を選択するステップをさらに含むことを特徴とする、請求項１に記載の方法。
【請求項１１】
前記第２の搬送波は、前記多数の搬送波のうち時間オフセット内にリソースグラントを有する搬送波であることを特徴とする、請求項１０に記載の方法。
【請求項１２】
前記第２の搬送波は、前記多数の搬送波のうち第２の優先順位を有するＳＰＳ構成を有する搬送波であることを特徴とする、請求項１０に記載の方法。
【請求項１３】
前記第２の搬送波は、前記多数の搬送波のうち第２の優先順位（ｓｅｃｏｎｄ  ｈｉｇｈｅｓｔ  ｐｒｉｏｒｉｔｙ）を有する活性化されたＳＰＳ構成を有する搬送波であることを特徴とする、請求項１０に記載の方法。
【請求項１４】
無線通信システムにおけるＵＥにより媒体アクセス制御プロトコルデータユニット（ＭＡＣ  ＰＤＵ）を送信する方法において、前記方法は、
基地局から多数の搬送波の優先順位に対する情報を受信するステップ；
前記多数の搬送波の優先順位に対する情報に基づいて、前記多数の搬送波の中から第１の搬送波を選択するステップ；
前記選択された第１の搬送波のリソースを最も高い優先順位を有する論理チャネルに割り当てるステップ；及び、
前記選択された第１の搬送波のリソースを利用してＭＡＣ  ＰＤＵを送信するステップ；を含むことを特徴とする、方法。
【請求項１５】
無線通信における媒体アクセス制御プロトコルデータユニット（ＭＡＣ  ＰＤＵ）を送信する端末であって、前記端末は、
メモリ；
送受信機；及び、
前記メモリ及び前記送受信機に連結されるプロセッサ；とを備えてなり、
前記プロセッサは、
基地局から半静的スケジューリング（ｓｅｍｉ  ｐｅｒｓｉｓｔｅｎｔ  ｓｃｈｅｄｕｌｉｎｇ、ＳＰＳ）構成の優先順位に対する情報を受信するように前記送受信機を制御し；
前記ＳＰＳ構成の優先順位に対する情報に基づいて、多数の搬送波の中から第１の搬送波を選択し；
前記選択された第１の搬送波のリソースを最も高い優先順位を有する論理チャネルに割り当て；及び、
前記選択された第１の搬送波のリソースを利用し、ＭＡＣ  ＰＤＵを送信するように前記送受信機を制御する、端末。
【発明の詳細な説明】
【技術分野】
【０００１】
本発明は、無線通信システムに関し、より詳しくは、ユーザ端末（ＵＥ）が優先順位に基づいて多数の搬送波のうち少なくとも一つの搬送波を選択する方法に関する。
【背景技術】
【０００２】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システムまたはｐｒｅ−５Ｇ通信システムを開発するための努力が行われている。このような理由で、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システムまたはＬＴＥ（ｌｏｎｇ  ｔｅｒｍ  ｅｖｏｌｕｔｉｏｎ）システム以後（ｐｏｓｔ  ＬＴＥ）以後のシステムと呼ばれている。
【発明の概要】
【発明が解決しようとする課題】
【０００３】
一方、従来技術によると、リソースプールは、単一搬送波を介してのみ構成される。したがって、ＵＥのＲＲＣ階層（即ち、ＵＥ  ＲＲＣ）は、単一搬送波を介してリソースプールを選択し、ＵＥのＭＡＣ階層（即ち、ＵＥ  ＭＡＣ）は、選択されたリソースプールに対してリソース（再）選択を実行する。一方、リソースプールが多数の搬送波で構成された場合、ＵＥは、互いに異なる搬送波を介して並列送信を実行することができる。ＵＥが、異なる搬送波を介して並列送信を実行する場合、ＵＥは、各プール／搬送波を介してリソースを独立的に選択する。この場合、ＵＥは、混雑搬送波を介して並列送信を実行することができ、したがって、これらの搬送波に対する混雑を増加させることができる。したがって、ＵＥが多数の搬送波のうち少なくとも一つの搬送波を選択する方法及びこれをサポートする装置が提案される必要がある。
【課題を解決するための手段】
【０００４】
一実施例は、無線通信システムにおけるユーザ端末（ＵＥ）により媒体アクセス制御プロトコルデータユニット（ＭＡＣ  ＰＤＵ）を送信する方法を提供する。前記方法は、基地局から半静的スケジューリング（ｓｅｍｉ  ｐｅｒｓｉｓｔｅｎｔ  ｓｃｈｅｄｕｌｉｎｇ、ＳＰＳ）構成の優先順位に対する情報を受信するステップ；前記ＳＰＳ構成の優先順位に対する情報に基づいて、多数の搬送波の中から第１の搬送波を選択するステップ；前記選択された第１の搬送波のリソースを最も高い優先順位を有する論理チャネルに割り当てるステップ；及び、前記選択された第１の搬送波のリソースを利用し、ＭＡＣ  ＰＤＵを送信するステップ；を含む。
【０００５】
他の実施例は、無線通信システムにおけるユーザ端末（ＵＥ）により媒体アクセス制御プロトコルデータユニット（ＭＡＣ  ＰＤＵ）を送信する方法を提供する。前記方法は、基地局から多数の搬送波の優先順位に対する情報を受信するステップ；前記多数の搬送波の優先順位に対する情報に基づいて、前記多数の搬送波の中から第１の搬送波を選択するステップ；前記選択された第１の搬送波のリソースを最も高い優先順位を有する論理チャネルに割り当てるステップ；及び、前記選択された第１の搬送波のリソースを利用してＭＡＣ  ＰＤＵを送信するステップ；を含む。
【０００６】
無線通信における媒体アクセス制御プロトコルデータユニット（ＭＡＣ  ＰＤＵ）を送信するユーザ端末（ＵＥ）が提供される。前記ＵＥは、メモリ；送受信機；及び、前記メモリ及び前記送受信機に連結され、基地局から半静的スケジューリング（ｓｅｍｉ  ｐｅｒｓｉｓｔｅｎｔ  ｓｃｈｅｄｕｌｉｎｇ、ＳＰＳ）構成の優先順位に対する情報を受信するように前記送受信機を制御し；前記ＳＰＳ構成の優先順位に対する情報に基づいて、多数の搬送波の中から第１の搬送波を選択し；前記選択された第１の搬送波のリソースを最も高い優先順位を有する論理チャネルに割り当て；及び、前記選択された第１の搬送波のリソースを利用し、ＭＡＣ  ＰＤＵを送信するように前記送受信機を制御するプロセッサ；を含む。
【発明の効果】
【０００７】
ＵＥは、構成された多数の搬送波のうち少なくとも一つの搬送波を選択することができる。
【図面の簡単な説明】
【０００８】
【図１】ＬＴＥシステム構造を示す。
【図２】制御平面に対するＬＴＥシステムの無線インターフェースプロトコルを示す。
【図３】ユーザ平面に対するＬＴＥシステムの無線インターフェースプロトコルを示す。
【図４】５Ｇシステムアーキテクチャを示す。
【図５】ＮＧ−ＲＡＮと５ＧＣとの間の機能的分離を示す。
【図６】ＭＡＣヘッダ、ＭＡＣ制御エレメント、ＭＡＣ  ＳＤＵ及びパディングを含むＭＡＣ  ＰＤＵの例を示す。
【図７】本発明の一実施例に係る多数の搬送波のうち、最も高い優先順位を有する搬送波を選択する手順を説明するための図面である。
【図８】本発明の一実施例に係る多数の搬送波のうち、オフセット内でリソースグラントを有する搬送波を選択する手順を説明するための図面を示す。
【図９】本発明の一実施例に係るＵＥがＭＡＣ  ＰＤＵを送信する方法を示すブロック図である。
【図１０】本発明の一実施例に係るＵＥがＭＡＣ  ＰＤＵを送信する方法を示すブロック図である。
【図１１】本発明の実施例が具現される無線通信システムのブロック図である。
【発明を実施するための形態】
【０００９】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。 ５Ｇ通信システムは、 ＬＴＥ−Ａの進化である。
【００１０】
説明を明確にするために、ＬＴＥ−Ａ／５Ｇを中心に記述するが、本発明の技術的思想がこれに制限されるものではない。
【００１１】
図１は、ＬＴＥシステム構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００１２】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００１３】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００１４】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００１５】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００１６】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００１７】
ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによるネットワーク型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多関係（ｍａｎｙ−ｔｏ−ｍａｎｙ−ｒｅｌａｔｉｏｎ）をサポートする。
【００１８】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で連結移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００１９】
図２は、制御平面に対するＬＴＥシステムの無線インターフェースプロトコルを示す。図３は、ユーザ平面に対するＬＴＥシステムの無線インターフェースプロトコルを示す。
【００２０】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）で存在でき、これはＵｕインターフェースのデータ送信を担当することができる。
【００２１】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００２２】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００２３】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００２４】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００２５】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００２６】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００２７】
論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００２８】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しないとき、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００２９】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００３０】
論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００３１】
ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００３２】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００３３】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００３４】
図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００３５】
図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００３６】
図４は、５Ｇシステムアーキテクチャを示す。
【００３７】
図４を参照すると、次世代無線アクセスネットワーク（ＮＧ−ＲＡＮ）ノードは、ＵＥに対してＮＲ無線アクセス（ＮＲ）ユーザ平面及び制御平面プロトコル終端を提供するｇＮＢであり、またはＵＥに対して進化したユニバーザル地上無線接続（Ｅ−ＵＴＲＡ）ユーザ平面及び制御平面プロトコル終端を提供するｎｇ−ｅＮＢである。ｇＮＢ及びｎｇ−ｅＮＢは、Ｘｎインターフェースを介して互いに相互接続されることができる。また、ｇＮＢ及びｎｇ−ｅＮＢは、ＮＧインターフェースを介して５Ｇコアネットワーク（５ＧＣ）に接続されることができ、より具体的には、ＮＧ−Ｃインターフェースを介してＡＭＦ（アクセス及び移動性管理機能）に接続されることができ、ＮＧ−Ｕインターフェースを介してＵＰＦ（ユーザ平面機能）に接続されることができる。ＮＧ−Ｃは、ＮＧ−ＲＡＮと５ＧＣとの間の制御平面インターフェースであり、ＮＧ−Ｕは、ＮＧ−ＲＡＮと５ＧＣとの間のユーザ平面インターフェースである。
【００３８】
図５は、ＮＧ−ＲＡＮと５ＧＣとの間の機能的分離を示す。
【００３９】
図５を参照すると、ｇＮＢ及びｎｇ−ｅＮＢは、下記の機能をホストすることができる。
【００４０】
−無線リソース管理のための機能：無線ベアラ制御、無線許可制御、接続移動性制御、アップリンク及びダウンリンク（スケジューリング）の全てでＵＥに対するリソースの動的割当；
【００４１】
−データのＩＰヘッダ圧縮、暗号化及び無欠性保護；
【００４２】
−ＡＭＦへのルーティングがＵＥにより提供された情報から決定されることができない場合、ＵＥアタッチ（ａｔｔａｃｈ）の時、ＡＭＦの選択；
【００４３】
−ユーザ平面データをＵＰＦ（ら）でルーティング；
【００４４】
−ＡＭＦに向かう制御平面情報のルーティング；
【００４５】
−接続設定及び解除；
【００４６】
−ページングメッセージのスケジューリング及び送信；
【００４７】
−（ＡＭＦまたはＯ＆Ｍから発生する）システム放送情報のスケジューリング及び送信；
【００４８】
−移動性及びスケジューリングのための測定及び測定報告構成；
【００４９】
−アップリンクでの送信レベルパケットマーキング；
【００５０】
−セッション管理；
【００５１】
−ネットワークスライシングのサポート；
【００５２】
−ＱｏＳフロー管理及びデータ無線ベアラへのマッピング；
【００５３】
−ＲＲＣ＿ＩＮＡＣＴＩＶＥ状態にあるＵＥのサポート；
【００５４】
−ＮＡＳメッセージの分配機能；
【００５５】
−無線アクセスネットワーク共有；
【００５６】
−二重接続性；
【００５７】
−ＮＲとＥ−ＵＴＲＡとの間の緊密な連動（ｉｎｔｅｒｗｏｒｋｉｎｇ）。
【００５８】
ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）は、下記の主要機能をホストすることができる。
【００５９】
−ＮＡＳシグナリング終端
【００６０】
−ＮＡＳシグナリングセキュリティ；
【００６１】
−ＡＳセキュリティ制御；
【００６２】
−３ＧＰＰアクセスネットワーク間の移動性のためのインターＣＮノードシグナリング；
【００６３】
−アイドル（ｉｄｌｅ）モードＵＥ到達可能性（ページング再送信の制御及び実行を含む）；
【００６４】
−登録領域管理；
【００６５】
−イントラ−システム及びインター−システム移動性のサポート；
【００６６】
−アクセス認証；
【００６７】
−ローミング権限のチェックを含むアクセス認証；
【００６８】
−移動性管理制御（加入及び政策）；
【００６９】
−ネットワークスライシングのサポート；
【００７０】
−ＳＭＦ選択。
【００７１】
ＵＰＦ（Ｕｓｅｒ  Ｐｌａｎｅ  Ｆｕｎｃｔｉｏｎ）は、下記の主要機能をホストすることができる。
【００７２】
−イントラ／インター−ＲＡＴ移動性のためのアンカーポイント（適用可能な場合）；
【００７３】
−データネットワークに対する相互接続の外部ＰＤＵセッションポイント；
【００７４】
−パケットルーティング及びフォワーディング；
【００７５】
−パケット検査（ｉｎｓｐｅｃｔｉｏｎ）及び政策規則適用（ｅｎｆｏｒｃｅｍｅｎｔ）のユーザ平面部分；
【００７６】
−トラフィック使用報告；
【００７７】
−データネットワークにトラフィックフローをルーティングすることをサポートするアップリンク分類子；
【００７８】
−マルチ−ホームＰＤＵセッションをサポートする分岐ポイント（ｂｒａｎｃｈｉｎｇ  ｐｏｉｎｔ）；
【００７９】
−ユーザ平面に対するＱｏＳ取り扱い、例えば、パケットフィルタリング、ゲーティング、ＵＬ／ＤＬ料金執行（ｒａｔｅ  ｅｎｆｏｒｃｅｍｅｎｔ）；
【００８０】
−アップリンクトラフィック検証（ＱｏＳフローマッピングに対するＳＤＦ）；
【００８１】
−ダウンリンクパケットバッファリング及びダウンリンクデータ通知トリガリング；
【００８２】
セッション管理機能（ＳＭＦ）は、下記の主要機能をホストすることができる。
【００８３】
−セッション管理；
【００８４】
−ＵＥ  ＩＰアドレス割当及び管理；
【００８５】
−ＵＰ機能の選択及び制御；
【００８６】
−トラフィックを適切な目的地（ｄｅｓｔｉｎａｔｉｏｎ）へルーティングするためにＵＰＦでトラフィック調整（ｓｔｅｅｒｉｎｇ）を構成する；
【００８７】
−政策執行及びＱｏＳの制御部分；
【００８８】
−ダウンリンクデータ通知。
【００８９】
以下、プロトコルデータユニット（ＰＤＵ）に対して説明する。
【００９０】
ＭＡＣ  ＰＤＵは、バイト整列された（即ち、８ビットの倍数）長さのビットストリングである。ＭＡＣ  ＳＤＵは、バイト整列された（即ち、８ビットの倍数）長さのビットストリングである。１番目のビットからＭＡＣ  ＰＤＵにＳＤＵ（Ｓｅｒｖｉｃｅ  Ｄａｔａ  Ｕｎｉｔ）が含まれる。
【００９１】
図６は、ＭＡＣヘッダ、ＭＡＣ制御エレメント、ＭＡＣ  ＳＤＵ及びパディングを含むＭＡＣ  ＰＤＵの例を示す。
【００９２】
図６に示すように、ＭＡＣ  ＰＤＵは、ＭＡＣヘッダ、０以上のＭＡＣ  ＳＤＵ、０以上のＭＡＣ制御エレメント及び選択的にパディングで構成される。ＭＡＣヘッダ及びＭＡＣ  ＳＤＵは、両方とも可変大きさである。ＭＡＣヘッダ及びＭＡＣ  ＳＤＵは、両方とも可変大きさである。ＭＡＣ  ＰＤＵヘッダは、一つ以上のＭＡＣ  ＰＤＵ部ヘッダで構成される。各々のサブヘッダは、ＭＡＣ  ＳＤＵ、ＭＡＣ制御エレメントまたはパディングに対応する。ＭＡＣ  ＰＤＵサブヘッダは、５または６個のヘッダフィールドＲ／Ｆ２／Ｅ／ＬＣＩＤ／（Ｆ）／Ｌで構成され、ＭＡＣ  ＰＤＵの最後のサブヘッダと固定された大きさのＭＡＣ制御エレメントで構成される。ＭＡＣ  ＰＤＵの最後のサブヘッダと固定された大きさのＭＡＣ制御エレメントのサブヘッダは、４個のヘッダフィールドＲ／Ｆ２／Ｅ／ＬＣＩＤのみで構成される。パディングに対応するＭＡＣ  ＰＤＵサブヘッダは、４個のヘッダフィールドであるＲ／Ｆ２／Ｅ／ＬＣＩＤで構成される。
【００９３】
ＭＡＣ  ＰＤＵサブヘッダは、対応するＭＡＣ  ＳＤＵ、ＭＡＣ制御エレメント及びパディングと同じ順序を有する。ＭＡＣ制御エレメントは、常に全てのＭＡＣ  ＳＤＵの前に配置される。単一バイトまたは２バイトパディングが必要な場合を除いて、パディングは、ＭＡＣ  ＰＤＵの端で発生する。パディングは任意の値を有することができ、ＭＡＣエンティティはこれを無視する。パディングがＭＡＣ  ＰＤＵの端で実行される時、０以上のパディングバイトが許容される。１バイトまたは２バイトパディングが必要な場合、パディングに該当する一つまたは二つのＭＡＣ  ＰＤＵ下位ヘッダが他のＭＡＣ  ＰＤＵ下位ヘッダの前にＭＡＣ  ＰＤＵの開始部分に配置される。ＭＡＣエンティティ当たりトランスポートブロック（ＴＢ）当たり最大一つのＭＡＣ  ＰＤＵが送信されることができる。送信時間間隔（ＴＴＩ）当たり最大一つのＭＣＨ  ＭＡＣ  ＰＤＵが送信されることができる。
【００９４】
以下、半静的スケジューリング（Ｓｅｍｉ−Ｐｅｒｓｉｓｔｅｎｔ  Ｓｃｈｅｄｕｌｉｎｇ、ＳＰＳ）に対して説明する。
【００９５】
ＲＲＣにより半静的スケジューリングを活性化すると、下記の情報が提供される。
【００９６】
−半静的スケジューリングＣ−ＲＮＴＩまたはＵＬ半静的スケジューリングＶ−ＲＮＴＩ（Ｖ２Ｘ  ＲＮＴＩ）；
【００９７】
−半静的スケジューリングＣ−ＲＮＴＩを有する半静的スケジューリングがアップリンクに対して可能である場合、アップリンク半静的スケジューリング間隔（ｓｅｍｉＰｅｒｓｉｓｔＳｃｈｅｄＩｎｔｅｒｖａｌＵＬ）及び暗示的解除以前のエンプティ送信回数（ｉｍｐｌｉｃｉｔＲｅｌｅａｓｅＡｆｔｅｒ）；
【００９８】
−ＵＬ半静的スケジューリングＶ−ＲＮＴＩを有する半静的スケジューリングがアップリンクに対して活性化された場合、各ＳＰＳ構成に対するアップリンク半静的スケジューリングインターバル（ｓｅｍｉＰｅｒｓｉｓｔＳｃｈｅｄＩｎｔｅｒｖａｌＵＬ）及び暗示的解除以前のエンプティ送信（ｅｍｐｔｙ  ｔｒａｎｓｍｉｓｓｉｏｎ）回数（ｉｍｐｌｉｃｉｔＲｅｌｅａｓｅＡｆｔｅｒ）；
【００９９】
−ＴＤＤに対してのみ、ｔｗｏＩｎｔｅｒｖａｌｓＣｏｎｆｉｇがアップリンクに対して活性化されるかまたは非活性化されるか；
【０１００】
−ダウンリンクに対して半静的スケジューリングが活性化された場合、ダウンリンク半静的スケジューリング間隔（ｓｅｍｉＰｅｒｓｉｓｔＳｃｈｅｄＩｎｔｅｒｖａｌＤＬ）及び半静的スケジューリングのために構成されたＨＡＲＱプロセスの数（ｎｕｍｂｅｒＯｆＣｏｎｆＳＰＳ−Ｐｒｏｃｅｓｓｅｓ）；
【０１０１】
ｓｅｍｉＰｅｒｓｉｓｔＳｃｈｅｄＩｎｔｅｒｖａｌＵＬは、アップリンクでサブフレームの個数であり、半静的スケジューリングインターバルである。ｓｆ１０値は、１０個のサブフレームに該当し、ｓｆ２０は、２０個のサブフレームに該当する。ＴＤＤに対して、構成された半静的スケジューリングインターバルが１０個のサブフレームより大きいまたは同じ時、ＵＥは、このパラメータを（１０個のサブフレームの）最も近い整数に切り捨て（ｒｏｕｎｄ）しなければならない。ｓｆ１０は１０個のサブフレーム、ｓｆ３２は３０個のサブフレーム、ｓｆ１２８は１２０個のサブフレームに該当する。
【０１０２】
ｉｍｐｌｉｃｉｔＲｅｌｅａｓｅＡｆｔｅｒは、暗示的解除以前のエンプティ送信回数である。値ｅ２は、２個の送信に該当し、ｅ３は、３個の送信に該当する。ｓｋｉｐＵｐｌｉｎｋＴｘＳＰＳが設定された場合、ＵＥは、このフィールドを無視しなければならない。
【０１０３】
ｔｗｏＩｎｔｅｒｖａｌｓＣｏｎｆｉｇは、アップリンクで２−インターバル−半静的スケジューリングのトリガである。このフィールドが存在して構成されたＳｅｍｉ−ｐｅｒｓｉｓｔｅｎｔスケジューリングインターバルが１０サブフレームより大きいまたは同じ場合、アップリンクに対して２−インターバル−ＳＰＳが活性化される。そうでない場合、２−インターバル−ＳＰＳが非活性化される。
【０１０４】
ｓｅｍｉＰｅｒｓｉｓｔＳｃｈｅｄＩｎｔｅｒｖａｌＤＬは、ダウンリンクでサブフレームの個数であり、半静的スケジューリングインターバルである。ｓｆ１０値は、１０個のサブフレームに該当し、ｓｆ２０は、２０個のサブフレームに該当する。ＴＤＤの場合、ＵＥは、このパラメータを（１０個のサブフレームの）最も近い整数に切り捨て（ｒｏｕｎｄ）しなければならない。ｓｆ１０は１０個のサブフレーム、ｓｆ３２は３０個のサブフレーム、ｓｆ１２８は１２０個のサブフレームに該当する。
【０１０５】
ｎｕｍｂｅｒＯｆＣｏｎｆＳＰＳ−Ｐｒｏｃｅｓｓｅｓは、ダウンリンク半静的スケジューリングのために構成されたＨＡＲＱプロセスの数である。
【０１０６】
ＲＲＣによりアップリンクまたはダウンリンクに対する半静的スケジューリングが非活性化されると、該当構成されたグラントまたは構成された割当は、廃棄（ｄｉｓｃａｒｄ）される。半静的予約は、ＳｐＣｅｌｌでのみサポートされる。ＲＮサブフレーム構成と結合してＥ−ＵＴＲＡＮとのＲＮ通信には半静的スケジューリングがサポートされない。
【０１０７】
一方、従来技術によると、リソースプールは、単一搬送波上でのみ構成される。したがって、ＵＥのＲＲＣ階層（即ち、ＵＥ  ＲＲＣ）は、単一搬送波上でリソースプールを選択し、ＵＥのＭＡＣ階層（即ち、ＵＥ  ＭＡＣ）は、選択されたリソースプールに対してリソース（再）選択を実行する。一方、リソースプールが多数の搬送波で構成された場合、端末は、互いに異なる搬送波を介して並列送信を実行することができる。ＵＥが、異なる搬送波上で並列送信を実行する場合、ＵＥは、各プール／搬送波上でリソースを独立的に選択する。この場合、ＵＥは、混雑搬送波（ｃｏｎｇｅｓｔｅｄ  ｃａｒｒｉｅｒｓ）上で並列送信を実行することができ、したがって、これらの搬送波に対する混雑（ｃｏｎｇｅｓｔｉｏｎ）を増加させる。以下、本発明の一実施例に係るＵＥが多数の搬送波を介してＭＡＣ  ＰＤＵを送信する方法及びこれをサポートする装置に対して詳細に説明する。
【０１０８】
本発明の一実施例によると、基地局は、端末に優先順位情報を知らせることができる。例えば、基地局は、ｅＮＢまたはｇＮＢである。例えば、優先順位情報は、各々のＳＰＳ構成の優先順位、全てのＳＰＳ構成の優先順位、全ての活性化されたＳＰＳ構成の優先順位、少なくとも一つのＳＰＳ構成と関連した搬送波（即ち、ここで、少なくとも一つのＳＰＳ構成が構成される）、全てのＳＰＳ構成と関連した全ての搬送波の優先順位（即ち、少なくとも一つのＳＰＳ構成が構成された全ての搬送波）または全ての活性化されたＳＰＳ構成と関連した全ての搬送波の優先順位（即ち、少なくとも一つのＳＰＳ構成が活性化されたり／活性化された全ての搬送波）のうち少なくとも一つを含むことができる。
【０１０９】
本発明の一実施例によると、優先順位情報は、ＰＤＣＣＨのダウンリンク制御情報（ＤＣＩ）、ダウンリンクＭＡＣ制御要素（ＣＥ）またはＲＲＣメッセージのうち少なくとも一つを介してＵＥに送信／指示されることができる。特定ＳＰＳ構成が活性化または再活性化される時、基地局は、ＳＰＳ構成を（再）活性化するＰＤＣＣＨを介して優先順位情報をＵＥに送信／指示できる。特定ＳＰＳ構成が活性化または再活性化される時またはＳＰＳ構成の少なくとも一つの優先順位が変更される時、基地局は、ＳＰＳ構成を（再）活性化するＰＤＣＣＨによりスケジューリングされたダウンリンクＭＡＣ  ＣＥを介して優先順位情報をＵＥに送信／指示できる。多数のＳＰＳ構成がＲＲＣメッセージにより構成される場合、基地局は、ＳＲＣ構成の優先順位または全ての活性化されたＳＰＳ構成の優先順位をＲＲＣメッセージを介してＵＥに送信／指示できる。ＰＤＣＣＨは、Ｃ−ＲＮＴＩ、半静的スケジューリングＣ−ＲＮＴＩ、ＵＬ半静的スケジューリングＶ−ＲＮＴＩまたはＳＬ半静的スケジューリングＶ−ＲＮＴＩのうち一つにアドレスされることができる。
【０１１０】
優先順位情報は、ＰＤＣＣＨのＤＣＩ、ダウンリンクＭＡＣ  ＣＥまたはＲＲＣメッセージのうち少なくとも一つに含まれることができる。優先順位情報は、ＳＰＳインデックスのリスト、搬送波のリスト、セルのリストまたは優先順位のリストを含むことができる。
【０１１１】
一つのリストされたＳＰＳインデックスは、一つのＳＰＳ構成にマッピングされることができる。一つのリストされた搬送波は、一つ以上のＳＰＳ構成が構成された一つの搬送波にマッピングされることができる。一つのリストされた搬送波は、一つ以上のＳＰＳ構成が活性化された一つの搬送波にマッピングされることができる。一つのリストされたセルは、一つ以上のＳＰＳ構成が構成された一つの搬送波または一つのサービングセルにマッピングされることができる。一つのリストされたセルは、一つ以上のＳＰＳ構成が活性化された一つの搬送波または一つのサービングセルにマッピングされることができる。一つのリストされた優先順位は、リストされたＳＰＳインデックスにマッピングされたＳＰＳ構成の優先順位に該当できる。一つのリストされた優先順位は、リストされた搬送波の優先順位に該当できる。搬送波は、アップリンク搬送波である。搬送波は、サイドリンク搬送波である。
【０１１２】
全ての活性化されたＳＰＳ構成の全ての優先順位が受信されると、ＵＥは、優先順位を論理チャネル優先順位（ｌｏｇｉｃａｌ  ｃｈａｎｎｅｌ  ｐｒｉｏｒｉｔｉｚａｔｉｏｎ、ＬＣＰ）に適用できる。論理チャネル優先順位手順で、ＵＥは、他の搬送波より最も高い優先順位を有する（例えば、最も低い優先順位値または最も高い優先順位値を有する）活性化されたＳＰＳ構成の搬送波に優先順位化できる。その代案として、ＵＥは、他のＳＰＳ構成より最も高い優先順位（例えば、最も低い優先順位値または最も高い優先順位値を有する）活性化されたＳＰＳ構成を優先順位化できる。
【０１１３】
したがって、同時にまたは時間インターバル内で多数の搬送波を介して多数のＭＡＣ  ＰＤＵを送信するために、ＵＥは、最も高い優先順位を有するまたはＳＰＳ構成または搬送波に割り当てられたリソースからデータを占有（ｏｃｃｕｐｙ）することができる。多数のＭＡＣ  ＰＤＵは、アップリンク送信またはサイドリンク送信で送信されることができる。その後、搬送波上に最も高い優先順位を有するＳＰＳ構成または搬送波に割り当てられたリソースが、使い尽く（ｅｘｈａｕｓｔ）されて残っているデータが依然として送信のために利用可能な場合、ＵＥは、第２の優先順位（ｓｅｃｏｎｄ  ｈｉｇｈｅｓｔ  ｐｒｉｏｒｉｔｙ）を有するＳＰＳ構成または搬送波上に割り当てられたリソースを介して残りのデータを占有することができる。
【０１１４】
好ましくは、優先順位は、搬送波の新しい優先順位値、論理チャネル優先順位、ＰＰＰＰ（ＰｒｏＳｅ  Ｐｒｉｏｒｉｔｙ  ｐｅｒ  Ｐａｃｋｅｔ）値またはＣＢＲ（ｃｈａｎｎｅｌ  ｂｕｓｙ  ｒａｔｉｏ）値である。搬送波は、少なくとも一つのＳＰＳ構成が構成された搬送波である。
【０１１５】
その代案として、ＵＥは、少なくとも一つのＳＰＳ構成が構成された搬送波上でＣＢＲを測定することができる。ＣＢＲ値が利用可能な場合、ＵＥは、搬送波の優先順位として搬送波の測定されたＣＢＲ値を使用することができる。ＣＢＲ値が利用可能な場合、ＵＥは、搬送波の測定されたＣＢＲ値を搬送波上に構成されたＳＰＳ構成の優先順位として使用することができる。
【０１１６】
多数のＳＰＳ構成が活性化されると、ＵＥは、各々の活性化されたＳＰＳ構成に対するリソース（例えば、サイドリンクリソース、サイドリンクグラント、アップリンクグラントまたはリソースグラント）を選択することができる。その後、サイドリンク制御情報（ＳＣＩ）と関連した各々のＭＡＣ  ＰＤＵの送信のために、ＵＥは、論理チャネル優先順位で活性化されたＳＰＳ構成の中からＳＰＳ構成を選択することができる。選択されたＳＰＳ構成は、活性化されたＳＰＳ構成のうち最も早いサイドリンクグラントを有することができる。選択されたＳＰＳ構成は、活性化されたＳＰＳ構成のうち最も高い優先順位を有することができる。
【０１１７】
多数の活性化されたＳＰＳ構成が、異なる搬送波上で同時にリソース（例えば、サイドリンクリソース、サイドリンクグラント、アップリンクグラントまたはリソースグラント）を有する場合、ＵＥは、論理チャネル優先順位で最も高い優先順位を有するＳＰＳ構成を選択し、または論理チャネル優先順位で最も高い優先順位を有するＳＰＳ構成の搬送波を選択することができる。ＵＥは、選択されたＳＰＳ構成のリソース（例えば、サイドリンクリソース、サイドリンクグラント、アップリンクグラントまたはリソースグラント）に対するデータを占有することができる。ＵＥが依然として送信に利用可能な残っているデータを有している場合、ＵＥは、第２の優先順位を有するＳＰＳ構成を選択し、または第２の優先順位を有するＳＰＳ構成の搬送波を選択することができる。その後、ＵＥは、第２の選択されたＳＰＳ構成のリソース（例えば、サイドリンクリソース、サイドリンクグラント、アップリンクグラント、またはリソースグラント）上の残りのデータを占有することができる。ＵＥは、選択されたＳＰＳ構成のリソース（例えば、サイドリンクリソース、サイドリンクグラント、アップリンクグラントまたはリソースグラント）に対して多数のＭＡＣ  ＰＤＵの送信を実行することができる。
【０１１８】
多数の活性化されたＳＰＳ構成が、同じ搬送波で同時に重なったリソース（例えば、サイドリンクリソース、サイドリンクグラント、アップリンクグラントまたはリソースグラント）を有する場合、ＵＥは、論理チャネル優先順位で最も高い優先順位を有するＳＰＳ構成を選択し、または論理チャネル優先順位で最も高い優先順位を有するＳＰＳ構成の搬送波を選択することができる。ＵＥは、選択されないＳＰＳ構成の重なったリソース（例えば、サイドリンクリソース、サイドリンクグラント、アップリンクグラントまたはリソースグラント）に対する送信を実行しない。したがって、ＵＥは、選択されたＳＰＳ構成のリソース（例えば、サイドリンクリソース、サイドリンクグラント、アップリンクグラントまたはリソースグラント）上でＭＡＣ  ＰＤＵの送信を実行することができる。
【０１１９】
以下、本発明の一実施例によって論理チャネル優先順位手順を説明する。説明の便宜のために、サイドリンクに対する論理チャネル優先順位手順が説明されるが、本発明は、これに制限されるものではない。例えば、論理チャネル優先順位手順は、本発明の実施例によって非許可帯域（ｕｎｌｉｃｅｎｓｅｄ  ｂａｎｄ）、例えば、ＬＴＥ−ＵまたはＬＡＡで自律的（ａｕｔｏｎｏｍｏｕｓ）アップリンク送信に適用されることができる。
【０１２０】
図７は、本発明の一実施例に係る多数の搬送波のうち、最も高い優先順位を有する搬送波を選択する手順を説明するための図面である。
【０１２１】
ＵＥは、リソースグラント（例えば、サイドリンクグラント）を介してＳＣＩ及びＭＡＣ  ＰＤＵを送信する前に論理チャネル優先順位手順を実行することができる。論理チャネル優先順位手順は、新しい送信が実行される時に適用されることができる。各々の論理チャネル（例えば、サイドリンク論理チャネル）は、関連した優先順位を有することができる。関連した優先順位は、パケット当たりＰｒｏＳｅ優先順位（ＰｒｏＳｅ  ｐｒｉｏｒｉｔｙ  ｐｅｒ  ｐａｃｋｅｔ、ＰＰＰＰ）である。多数の論理チャネルが、同じ関連した優先順位を有することができる。
【０１２２】
ＵＥは、次の論理チャネル優先順位手順を実行することができる。論理チャネル優先順位手順は、ＵＥのＭＡＣエンティティにより実行されることができる。例えば、論理チャネル優先順位手順は、Ｖ２Ｘサイドリンク通信での新しい送信に対応する各々のＳＣＩに対することである。
【０１２３】
ＵＥ側のＭＡＣエンティティは、下記のステップで論理チャネル（例えば、サイドリンク論理チャネル）にリソースを割り当てることができる：
【０１２４】
−ステップ０：ＵＥは、送信できるデータを有するサイドリンク論理チャネルの中から、最も高い優先順位を有するサイドリンク論理チャネルを有する目的地（ｄｅｓｔｉｎａｔｉｏｎ）を選択することができる。例えば、目的地は、ＰｒｏＳｅ目的地である。
【０１２５】
−ステップ１：ＵＥは、（ある場合）以前に選択された搬送波（ら）または以前に選択した活性化されたＳＰＳ構成を除いて、全ての活性化されたＳＰＳまたは全ての活性化されたＳＰＳ構成の全ての搬送波の中から、時間内に最も早いサイドリンクグラントを有する活性化されたＳＰＳ構成または活性化されたＳＰＳ構成の搬送波を選択することができる。時間内に最も早いサイドリンクグラントを有する活性化されたＳＰＳ構成の搬送波は、全ての活性化されたＳＰＳ構成の全ての搬送波の中から選択されることができる。時間内に最も早いサイドリンクグラントを有する活性化されたＳＰＳ構成は、全ての活性化されたＳＰＳ構成の中から選択されることができる。その代案として、最も高い優先順位を有する活性化されたＳＰＳ構成の搬送波は、全ての活性化されたＳＰＳ構成の全ての搬送波の中から選択されることができる。最も高い優先順位を有する活性化されたＳＰＳ構成は、全ての活性化されたＳＰＳ構成の中から選択されることができる。活性化されたＳＰＳ構成の優先順位または活性化されたＳＰＳ構成の搬送波の優先順位は、ネットワークまたは基地局により構成され、または割り当てられることができる。
【０１２６】
図７を参照すると、ＵＥは、３個の搬送波または３個のＳＰＳ構成で構成されることができる。３個の搬送波または３個のＳＰＳ構成は、ＲＲＣ階層により構成されることができる。その後、基地局は、多数のＳＰＳ構成を活性化し、図７のように多数のＳＰＳ構成のこのような搬送波上にサイドリンクグラントを割り当てることができる。したがって、ＵＥは、図７のようにサイドリンクグラントを決定することができる。即ち、ＵＥは、図７のようにサイドリンクグラントを割り当てることができる。例えば、多数の搬送波を介した多数のサイドリンクグラントまたは多数のＳＰＳ構成が図７のＡ地点で同時に利用可能であると仮定する。多数の搬送波を介した多数のサイドリンクグラントが同時に利用可能な場合、ＵＥは、最も高い優先順位の搬送波を有する活性化されたＳＰＳ構成の搬送波を選択することができる。多数のＳＰＳ構成に対する多数のサイドリンクグラントが同時に利用可能な場合、ＵＥは、最も高い優先順位のＳＰＳ構成を有する活性化されたＳＰＳ構成を選択することができる。優先順位は、ＣＢＲ値にマッピングされることができる。低いＣＢＲ値は、高いＣＢＲ値より高い優先順位を有することができる。
【０１２７】
各々の活性化されたＳＰＳ構成または活性化されたＳＰＳ構成の各々の搬送波に対してＳＣＩと関連した各ＭＡＣ  ＰＤＵの場合：
【０１２８】
−ステップ２：選択された目的地に属し、且つ送信可能なデータを有するサイドリンク論理チャネルのうち、ＵＥは、最も高い優先順位を有するサイドリンク論理チャネルにリソースを割り当てることができる；
【０１２９】
−ステップ３：リソースが残っている場合、選択された目的地に属するサイドリンク論理チャネルは、サイドリンク論理チャネル（ら）またはサイドリンクグラントに対するデータが使い尽くされる時まで、いずれか早い方の、優先順位の降順に提供されることができる。同じ優先順位に構成されたサイドリンク論理チャネルが同じく提供されることができる。
【０１３０】
−ステップ４：サイドリンク論理チャネル（ら）に対するデータが使い尽くされずに選択された搬送波／プールに対するサイドリンクグラントが使い尽くされる場合、ＵＥは、ステップ０に進行する。即ち、この場合、ＵＥは、ステップ０乃至ステップ３を繰り返しすることができる。このような繰り返しで、ＵＥは、ステップ１で以前に選択された搬送波（ら）またはＳＰＳ構成（ら）を除外することができる。
【０１３１】
また、ＵＥは、前記スケジューリング手順の間に下記の規則に従うことができる：
【０１３２】
−全体ＳＤＵ（または、部分的に送信されたＳＤＵ）が残りのリソースに適合（ｆｉｔ）すると、ＵＥは、ＲＬＣ  ＳＤＵ（または、部分的に送信されたＳＤＵ）を分割（ｓｅｇｍｅｎｔ）しない；
【０１３３】
−ＵＥがサイドリンク論理チャネルからＲＬＣ  ＳＤＵを分割すると、グラントを可能な限り満たすことができるようにセグメントの大きさを最大化しなければならない。
【０１３４】
−ＵＥは、データ送信を最大化することができる；
【０１３５】
−ＭＡＣエンティティに送信可能なデータがある状態で１０バイト（サイドリンク通信の場合）または１１バイト（Ｖ２Ｘサイドリンク通信の場合）以上のサイドリンクグラント大きさが付与された場合、ＭＡＣエンティティは、パディングのみを送信することはできない。
【０１３６】
ＭＡＣエンティティが一つのＴＴＩで多数のＭＡＣ  ＰＤＵを送信するように要求される時、前記ステップ１、２及び３及び関連した規則が各々の搬送波／プール上のサイドリンクグラントに独立的に適用されることができる。その代案として、ＭＡＣエンティティが一つのＴＴＩで多数のＭＡＣ  ＰＤＵを送信するように要求される時、前記ステップ１、２及び３及び関連した規則が全ての選択された搬送波／プールのサイドリンクグラントの容量の和に適用されることができる。
【０１３７】
図８は、本発明の一実施例に係る多数の搬送波のうち、オフセット内でリソースグラントを有する搬送波を選択する手順を説明するための図面を示す。
【０１３８】
図８を参照すると、ＵＥは、３個の搬送波の多数のＳＰＳ構成で構成されることができる。３個の搬送波の多数のＳＰＳ構成は、ＲＲＣ階層により構成されることができる。その後、基地局は、多数のＳＰＳ構成を活性化し、図８のようにこのような搬送波の多数のＳＰＳ構成にサイドリンクグラントを割り当てることができる。したがって、ＵＥは、図８のようにサイドリンクグラントを決定して割り当てることができる。
【０１３９】
例えば、図８のＢ地点でデータを送信することが可能であると仮定する。以下、本発明の一実施例によって、Ｂ地点でデータを送信することが可能な場合の論理的チャネル優先順位手順に対して説明する。
【０１４０】
まず、Ｂ地点でデータの送信が可能になる場合、端末は、送信できるデータを有するサイドリンク論理チャネルのうち最も高い優先順位を有するサイドリンク論理チャネルを有する目的地を選択することができる。その後、ＵＥは、ＲＲＣ階層により構成された搬送波及び／またはＳＰＳ構成の中から時間オフセット内の搬送波及び／またはＳＰＳ構成を選択することができる。時間オフセットは、最も早いサイドリンクグラント時間から始まることができる。
【０１４１】
図８において、ＵＥは、時間において最も早いサイドリンクグラントからオフセットされた時間内にサイドリンクグラントを提供する搬送波＃１及び／またはＳＰＳ構成＃１を選択することができる。この場合、ＵＥは、最低ＣＢＲレベルを提供する搬送波及び／またはＳＰＳ構成を選択することができる。または、ＵＥは、最も高い優先順位を提供する搬送波及び／またはＳＰＳ構成を選択することができる。ＣＢＲレベルまたは優先順位は、ネットワークにより指示されることができる。その代案として、ＣＢＲレベルまたは優先順位は、ＵＥにより決定されることができる。即ち、ＵＥは、測定結果に基づいてＣＢＲレベル、搬送波の優先順位またはＳＰＳ構成の優先順位を決定することができる。
【０１４２】
搬送波＃１及び／またはＳＰＳ構成＃１が搬送波＃３及び／またはＳＰＳ構成＃３より低いＣＢＲ値を提供すると、ＵＥは、搬送波＃１及び／またはＳＰＳ構成＃１を選択することができる。その後、ＵＥは、選択された搬送波＃１及び／またはＳＰＳ構成＃１に対してステップ２及びステップ３を実行することができる。
【０１４３】
その代案として、搬送波＃１及び／またはＳＰＳ構成＃１が搬送波＃３及び／またはＳＰＳ構成＃３より優先順位が高い場合、ＵＥは、搬送波＃１及び／またはＳＰＳ構成＃１を選択することができる。その後、ＵＥは、選択された搬送波＃１及び／またはＳＰＳ構成＃１に対してステップ２及びステップ３を実行することができる。
【０１４４】
好ましくは、ＣＢＲ値または優先順位情報が利用可能でない場合、ＵＥは、時間オフセット内にサイドリンクグラントを提供する多数の搬送波及び／またはＳＰＳ構成（即ち、搬送波及び／またはＳＰＳ構成＃１及び＃３）の中から搬送波及び／またはＳＰＳ構成をランダムに選択できる。この例において、ＣＢＲ値または優先順位情報が搬送波＃１及び／または搬送波＃３に対して利用可能でない場合、ＵＥは、これらの中から一つをランダムに選択する。ＵＥが搬送波＃１及び／またはＳＰＳ構成＃１を選択すると仮定する。
【０１４５】
第２に、サイドリンク論理チャネル（ら）に対するデータが依然として使い尽くされないが、搬送波＃１及び／またはＳＰＳ構成＃１に対するサイドリンクグラントが使い尽くされる場合、ＵＥは、搬送波＃３及び／またはＳＰＳ構成＃３を選択することができる。その後、ＵＥは、選択された搬送波＃３及び／またはＳＰＳ構成＃３に対してステップ２及びステップ３を実行することができる。最後に、ＵＥは、各々の選択された搬送波及び／またはＳＰＳ構成を介してＭＡＣ  ＰＤＵを送信することができる。搬送波＃２及び／またはＳＰＳ構成＃２に対するサイドリンクグラントは、時間オフセット内にないため、搬送波＃２及び／またはＳＰＳ構成＃２に対するサイドリンクグラントは使われないことを注目する。
【０１４６】
図９は、本発明の一実施例に係るＵＥがＭＡＣ  ＰＤＵを送信する方法を示すブロック図である。
【０１４７】
図９を参照すると、ステップＳ９１０において、端末は、基地局から半静的スケジューリング（Ｓｅｍｉ  Ｐｅｒｓｉｓｔｅｎｔ  Ｓｃｈｅｄｕｌｉｎｇ、ＳＰＳ）構成の優先順位に対する情報を受信することができる。ＳＰＳ構成の優先順位に対する情報は、各々のＳＰＳ構成の優先順位を含むことができる。ＳＰＳ構成の優先順位に対する情報は、活性化されたＳＰＳ構成の優先順位を含むことができる。
【０１４８】
また、ＵＥは、多数の搬送波にリソースグラントを割り当てることができる。リソースグラントは、ＵＥにより自律的に多数の搬送波に割り当てられることができる。その代案として、基地局は、多数の搬送波にリソースグラントを割り当てることができる。リソースグラントは、基地局から受信された構成に基づいてＵＥにより多数の搬送波に割り当てられることができる。
【０１４９】
ステップＳ９２０において、ＵＥは、ＳＰＳ構成の優先順位に対する情報に基づいて、多数の搬送波の中から第１の搬送波を選択することができる。第１の搬送波は、複数の搬送波のうち最も優先順位が高いＳＰＳ構成を有する搬送波である。第１の搬送波は、多数の搬送波のうち最も高い優先順位を有する活性化されたＳＰＳ構成を有する搬送波である。第１の搬送波は、最も高い優先順位を有するＳＰＳ構成に対応できる。第１の搬送波は、最も高い優先順位を有する活性化されたＳＰＳ構成に対応できる。
【０１５０】
第１の搬送波は、多数の搬送波のうち時間オフセット内にリソースグラントを有する搬送波である。時間オフセット内にリソースグラントを有する複数の搬送波がある場合、第１の搬送波は、複数の搬送波のうち最も高い優先順位を有するＳＰＳ構成を有する搬送波である。時間オフセットは、多数の搬送波のうち最も早いリソース付与時間から始めることができる。
【０１５１】
ステップＳ９３０において、ＵＥは、選択された第１の搬送波のリソースを最も高い優先順位を有する論理チャネルに割り当てることができる。
【０１５２】
また、ＵＥは、最も高い優先順位を有する論理チャネルのデータに基づいて、ＭＡＣ  ＰＤＵを構築（ｃｏｎｓｔｒｕｃｔ）することができる。
【０１５３】
ステップＳ９４０において、端末は、選択された第１の搬送波のリソースを利用し、ＭＡＣ  ＰＤＵを送信することができる。
【０１５４】
また、論理チャネルに対するデータが残っており、且つ選択された第１の搬送波に対するリソースグラントが使い尽くされる場合、ＵＥは、ＳＰＳ構成の優先順位に対する情報に基づいて、多数の搬送波の中から第２の搬送波を選択することができる。第２の搬送波は、多数の搬送波のうち時間オフセット内にリソースグラントを有する搬送波である。第２の搬送波は、多数の搬送波のうち第２の優先順位が有するＳＰＳ構成を有する搬送波である。第２の搬送波は、多数の搬送波のうち第２の優先順位が有する活性化されたＳＰＳ構成を有する搬送波である。第２の搬送波は、第２の優先順位を有するＳＰＳ構成に対応できる。第２の搬送波は、第２の優先順位を有する活性化されたＳＰＳ構成に対応できる。
【０１５５】
また、ＵＥは、送信できるデータを有する論理チャネルの中から、最も高い優先順位を有する論理チャネルを有する目的地を選択することができる。選択された第１の搬送波のリソースは、選択された目的地に属し、且つ送信可能なデータを有する論理チャネルのうち、最も高い優先順位を有する論理チャネルに割り当てられることができる。
【０１５６】
本発明の一実施例によると、リソースプールが多数の搬送波に構成される場合、ＵＥは、ＳＰＳ構成の優先順位に対する情報に基づいて、特定ＳＰＳ構成に対応する特定搬送波を選択する。したがって、ＵＥが並列サイドリンク／アップリンク送信を実行する場合、混雑（ｃｏｎｇｅｓｔｅｄ）搬送波は、サイドリンク／アップリンク送信に使われない。
【０１５７】
図１０は、本発明の一実施例に係るＵＥがＭＡＣ  ＰＤＵを送信する方法を示すブロック図である。
【０１５８】
図１０を参照すると、Ｓ１０１０ステップにおいて、端末は、基地局から多数の搬送波の優先順位に対する情報を受信することができる。多数の搬送波の優先順位に対する情報は、少なくとも一つのＳＰＳ構成と関連した搬送波の優先順位を含むことができる。多数の搬送波の優先順位に対する情報は、活性化されたＳＰＳ構成と関連した搬送波の優先順位を含むことができる。
【０１５９】
また、ＵＥは、多数の搬送波にリソースグラントを割り当てることができる。リソースグラントは、ＵＥにより自律的に多数の搬送波に割り当てられることができる。その代案として、基地局は、多数の搬送波にリソースグラントを割り当てることができる。リソースグラントは、基地局から受信された構成に基づいて、ＵＥにより多数の搬送波に割り当てられることができる。
【０１６０】
ステップＳ１０２０において、ＵＥは、多数の搬送波の優先順位に対する情報に基づいて、多数の搬送波の中から第１の搬送波を選択することができる。第１の搬送波は、多数の搬送波のうち最も高い優先順位を有する搬送波である。
【０１６１】
第１の搬送波は、多数の搬送波のうち時間オフセット内にリソースグラントを有する搬送波である。時間オフセット内にリソースグラントを有する複数の搬送波がある場合、第１の搬送波は、複数の搬送波のうち最も高い優先順位を有する搬送波である。時間オフセットは、多数の搬送波のうち最も早いリソースグラントの時間から始めることができる。
【０１６２】
ステップＳ１０３０において、ＵＥは、選択された第１の搬送波のリソースを最も高い優先順位を有する論理チャネルに割り当てることができる。
【０１６３】
また、ＵＥは、最も高い優先順位を有する論理チャネルのデータに基づいて、ＭＡＣ  ＰＤＵを構成することができる。
【０１６４】
ステップＳ１０４０において、端末は、選択された第１の搬送波のリソースを利用し、ＭＡＣ  ＰＤＵを送信することができる。
【０１６５】
また、論理チャネルに対するデータが残っており、且つ選択された第１の搬送波に対するリソースグラントが使い尽くされた場合、ＵＥは、多数の搬送波の優先順位に対する情報に基づいて、多数の搬送波の中から第２の搬送波を選択することができる。第２の搬送波は、多数の搬送波のうち時間オフセット内にリソースグラントを有する搬送波である。第２の搬送波は、多数の搬送波のうち第２の優先順位を有する搬送波である。
【０１６６】
また、ＵＥは、送信できるデータを有する論理チャネルの中から最も高い優先順位を有する論理チャネルを有する目的地を選択することができる。選択された第１の搬送波のリソースは、選択された目的地に属し、且つ送信可能なデータを有する論理チャネルのうち、最も高い優先順位を有する論理チャネルに割り当てられることができる。
【０１６７】
本発明の一実施例によると、リソースプールが多数の搬送波に構成される場合、ＵＥは、多数の搬送波の優先順位情報に基づいて特定搬送波を選択する。したがって、ＵＥが並列サイドリンク／アップリンク送信を実行する場合、混雑搬送波は、サイドリンク／アップリンク送信に使われない。
【０１６８】
図１１は、本発明の実施例が具現される無線通信システムのブロック図である。
【０１６９】
基地局１１００は、プロセッサ１１０１、メモリ１１０２及び送受信機１１０３を含む。メモリ１１０２は、プロセッサ１１０１と連結され、プロセッサ１１０１を駆動するための多様な情報を格納する。送受信機１１０３は、プロセッサ１１０１と連結され、無線信号を送信及び／または受信する。プロセッサ１１０１は、提案された機能、過程及び／または方法を具現する。前述した実施例において、 基地局の動作は、プロセッサ１１０１により具現されることができる。
【０１７０】
端末１１１０は、プロセッサ（ｐｒｏｃｅｓｓｏｒ）１１１１、メモリ（ｍｅｍｏｒｙ）１１１２及び送受信機（ｔｒａｎｓｃｅｉｖｅｒ）１１１３を含む。メモリ１１１２は、プロセッサ１１１１と連結され、プロセッサ１１１１を駆動するための多様な情報を格納する。送受信機１１１３は、プロセッサ１１１１と連結され、無線信号を送信及び／または受信する。プロセッサ１１１１は、提案された機能、過程及び／または方法を具現する。前述した実施例において、 端末の動作は、プロセッサ１１１１により具現されることができる。
【０１７１】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１７２】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０１７３】
前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
2020528683.tif 000003
【図２】
2020528683.tif 000004
【図３】
2020528683.tif 000005
【図４】
2020528683.tif 000006
【図５】
2020528683.tif 000007
【図６】
2020528683.tif 000008
【図７】
2020528683.tif 000009
【図８】
2020528683.tif 000010
【図９】
2020528683.tif 000011
【図１０】
2020528683.tif 000012
【図１１】
2020528683.tif 000013
【国際調査報告】
2020528683.tif 000014
2020528683.tif 000015